(57)【要約】  本発明は太陽光モジュールを用いた追跡式ブラインド装置に関するものであって、より詳しくは、予め設定された間隔で離隔して光の透過量を調節する複数の日よけ板；前記複数の日よけ板に付着され、太陽光を用いて発電する太陽光モジュール；前記複数の日よけ板と連結されて日よけ板傾斜角および日よけ板間距離をそれぞれ調節する駆動部；および使用者命令によって発電モード、私生活保護モードおよび採光モードのうちのいずれか一つの運転モードを設定し、前記設定された運転モード、現在の節気および時刻および太陽高度角によって日よけ板傾斜角および日よけ板間距離をそれぞれ制御する制御部を含む。【選択図】    図２
2019510905.tif 000002
【特許請求の範囲】
【請求項１】
予め設定された間隔で離隔して光の透過量を調節する複数の日よけ板；前記複数の日よけ板に付着され、太陽光を用いて発電する太陽光モジュール；前記複数の日よけ板と連結されて日よけ板傾斜角および日よけ板間距離をそれぞれ調節する駆動部；および使用者命令によって発電モード、私生活保護モードおよび採光モードのうちのいずれか一つの運転モードを設定し、前記設定された運転モード、現在の節気および時刻および太陽高度角によって日よけ板傾斜角および日よけ板間距離をそれぞれ制御する制御部を含む、太陽光モジュールを用いた追跡式ブラインド装置。
【請求項２】
前記複数の日よけ板は、日よけ板間距離が日よけ板幅の予め設定された倍数であり前記太陽光モジュールが付着された少なくとも一つの発電用日よけ板と、前記発電用日よけ板の下端に互いに隣接して位置し前記太陽光モジュールが付着されていない少なくとも一つの私生活保護用日よけ板を含む、請求項１に記載の太陽光モジュールを用いた追跡式ブラインド装置。
【請求項３】
前記制御部は、前記設定された運転モードが発電モードであり太陽高度角が予め設定された高度角以下であれば、日よけ板傾斜角を太陽高度角と垂直な傾斜角に制御し、日よけ板間距離を日よけ板幅の予め設定された倍数に制御する、請求項１に記載の太陽光モジュールを用いた追跡式ブラインド装置。
【請求項４】
前記制御部は、前記設定された運転モードが私生活保護モードの最上位等級であれば、日よけ板傾斜角を完全遮蔽状態に制御し、日よけ板間距離を日よけ板幅に制御する、請求項１に記載の太陽光モジュールを用いた追跡式ブラインド装置。
【請求項５】
前記制御部は、前記設定された運転モードが私生活保護モードの下位等級であり太陽高度角が予め設定された高度角以下であれば、日よけ板傾斜角を太陽高度角と垂直な傾斜角に制御し、日よけ板間距離を日よけ板に直射光線が流入しない日よけ板間距離に制御する、請求項１に記載の太陽光モジュールを用いた追跡式ブラインド装置。
【請求項６】
前記制御部は、前記設定された運転モードが採光モードであり太陽高度角が予め設定された高度角以下であれば、日よけ板傾斜角を太陽高度角と垂直な傾斜角に制御し、日よけ板間距離を日よけ板に直射光線が流入する日よけ板間距離に制御する、請求項１に記載の太陽光モジュールを用いた追跡式ブラインド装置。
【請求項７】
前記制御部は、太陽高度角が予め設定された高度角を超過すれば、日よけ板傾斜角を日よけ板に陰影が生じない日よけ板傾斜角に制御し、日よけ板間距離を日よけ板幅の予め設定された倍数に制御する、請求項１に記載の太陽光モジュールを用いた追跡式ブラインド装置。
【請求項８】
前記複数の日よけ板は、前記太陽光モジュールが付着された第１領域と前記太陽光モジュールが付着されていない第２領域に区分され、前記日よけ板の第１および第２領域の間に位置した回転軸を中心に前記日よけ板の第１および第２領域が個別的に動作する、請求項１に記載の太陽光モジュールを用いた追跡式ブラインド装置。
【請求項９】
前記複数の日よけ板は、前記太陽光モジュールが付着された日よけ板の第１領域と前記太陽光モジュールが付着されていない第２領域にそれぞれ分離されており、前記日よけ板の第１領域と第２領域の間に位置した仮想の回転軸を中心に前記日よけ板の第１領域と第２領域が回転する、請求項１に記載の太陽光モジュールを用いた追跡式ブラインド装置。
【請求項１０】
前記制御部は、前記設定された運転モードと、現在の節気および時刻と、太陽高度角および予め設定された高度角間の比較結果によって前記太陽光モジュールが付着された日よけ板の第１領域と前記太陽光モジュールが付着されていない日よけ板の第２領域の傾斜角を個別的に制御して直射光線を流入させるか遮断させる、請求項１に記載の太陽光モジュールを用いた追跡式ブラインド装置。
【発明の詳細な説明】
【技術分野】
【０００１】
本発明は太陽光モジュールを用いた追跡式ブラインド装置に関するものであって、より詳しくは、運転モード、現在の節気および時刻および太陽高度角によって太陽光モジュールが付着された日よけ板および太陽光モジュールが付着されていない部分を駆動して日よけ板間の間隔または日よけ板（全体または一部分の領域）の傾斜角度を互いに異なるように調節することができる、太陽光モジュールを用いた追跡式ブラインド装置に関するものである。
【背景技術】
【０００２】
太陽光発電（Ｐｈｏｔｏｖｏｌｔａｉｃ、ＰＶ）は特別な維持管理が必要なく、公害、および材料の腐食なく太陽光を用いて簡単に電気を生産する技術であって多様な応用分野があるが、その中でも太陽光発電を建築物の外皮仕上材料に代替する建物統合型または建物一体化に対する技術開発が全世界的に活発に行われている。
【０００３】
特に、太陽光発電モジュールを建築に一体化して適用できる建物構成要素は、カーテンウォール、天井、車両、ＰＶ屋根タイル、透明ＰＶ建具など非常に多様であり、その特性によって自然採光や車両にも利用可能で建物の全体的なエネルギー節減効果および快適性、経済性を向上させることができる。
【０００４】
建物統合型太陽光発電（ｂｕｉｌｄｉｎｇ  ｉｎｔｅｇｒａｔｅｄ  ｐｈｏｔｏｖｏｌｔａｉｃ、ＢＩＰＶ）システムは、建物で太陽光が入射される位置を活用するので、建物の構成要素の屋根、ガラス窓、外壁仕上材などと結合される構造を有し得る。特に、建物に一体化しやすいながら太陽光の入射方向を追跡して方向を変えることができる構造が有利である。
【０００５】
これにより、外部から室内に、または室内から外部に、遮光するために設置するブラインドシステムの日よけ板またはスラット（ｓｌａｔ）に太陽電池パネルを結合することによって、遮光と太陽光発電を共に実現することができる太陽光発電ブラインドシステムが提案されている。
【０００６】
通常外壁がガラスで仕上げられる大型建物に太陽光発電ブラインドシステムを構築すれば、相当な再生エネルギーの生産および節減効果を期待することができると判断される。
【０００７】
太陽光発電ブラインドシステムは、太陽光発電量を極大化するために太陽光の入射方向に追従する太陽光追跡機能を必要とする。追跡方式によってプログラム追跡式（Ｐｒｏｇｒａｍ  Ｔｒａｃｋｉｎｇ）とセンサー追跡式（Ｓｅｎｓｏｒ  Ｔｒａｃｋｉｎｇ）に分けられる。プログラム追跡式は太陽の年中移動軌道を追跡するプログラムを内蔵したコンピュータまたはマイクロプロセッサーを用いてプログラムに年、月、日によって最適の太陽位置を保存しておいて追跡する方式であり、センサー追跡式はセンサーを用いて最大入射量を追跡していく方式であって、センサの種類と形態によって誤差が発生することがある。
【０００８】
追跡方向によって傾斜単軸（または水平単軸）と両軸追跡式システムに区分する。両軸システムの一つの軸は太陽の方位角を追跡し、他の一つの軸は太陽の高度角を追跡することができる。傾斜単軸追跡式は南北方向に軸を一定の傾斜角に設置し、この軸を中心に回転して太陽の方向を追跡するシステムである。傾斜単軸追跡式の場合、センサー方式で追跡しても、プログラム追跡式より発電量を約１％しか増加させられないので、センサー式効果は微小であることが分かる。
【０００９】
しかし、ブラインドシステムの特性のため、太陽の方向に向かうことが必ずしも発電量を最大にするのではない。例えば、真夏に太陽が南中した時に太陽の方向に向かってブラインドスラットを制御すれば、ブラインドスラットはほとんど水平になるように置かれ、大部分の面積に陰が生じる状況のみ招来されることがある。
【００１０】
また、通常光センサーが感応する波長帯と実際発電量の高い波長帯が一致しないため、識別された太陽方向が必ずしも最も高い発電量を保障するのではない。さらに、気相状態が良くなければ、誤作動が必然的である。したがって、費用に比べて効果は良くない。
【００１１】
太陽光発電効率は日よけ板の角度（線）と太陽高度角（線）が直交をなす時、最も効率的である。一般的なブラインド型の太陽光発電装置は日よけ板の間隔が‘日よけ板の幅’の１倍であるため、隣接する日よけ板に陰影が生じないためには日よけ板の角度と太陽高度角が垂直をなす傾斜角は９０°より小さくなければならない。したがって、現実的に陰影が生じないようにするためには大部分の発電可能な時間の間に日よけ板の傾斜角と太陽高度角とがなす角は約１４°〜７６°であるため直交しないので、太陽光追跡装置の効果は非常に減少する。
【００１２】
従来の技術ではスラットとスラットの間の幅が生産段階で固定調節（ルーバーは固定間隔、ブラインドは固定された間隔内で引出乃至重畳される）されており、スラット間の陰影問題を解決するためのスラット間の間隔全てに対する可変的な同時間隔調節手段がなかった。さらに詳しく説明すれば、従来の技術としての間隔の調節はスラットをたたみ上げるか（重畳）広げる（引出）機能だけであり、その間隔調節作動関係においても最下段（従来の水平ブラインド）を順次に引いて間隔を調節することによって、作動中にスラットの間隔を同時に可変的に調節することができないという問題点がある。
【００１３】
もちろん、スラットとスラットの間の幅を広めれば隣接のスラット間の陰影は減るようになるが、正午にはスラットとスラットの間の隙間を通じて光が流入してブラインド本来の遮光および採光機能に制限を加えるようになり、反対にブラインド本来の遮光および採光を維持するためにスラットやルーバーの陰影が生じない領域にのみ太陽光モジュールを制限的に搭載すれば、全体的な太陽電池の搭載面積に制限を与える問題点があった。
【発明の概要】
【発明が解決しようとする課題】
【００１４】
これに比べて、本発明の実施例は、運転モード、現在の節気および時刻および太陽高度角によって太陽光モジュールが付着された日よけ板を駆動して日よけ板間の間隔または日よけ板（全体または一部分）の傾斜角度を互いに異なるように調節して日除けおよび採光、日よけ板陰影問題の解決が可能で太陽光発電効率の極大化が可能である。
【００１５】
具体的には、本発明の実施例は太陽光発電時に太陽高度角と日よけ板間の離隔距離（隣接距離）および日よけ板の傾斜角（角度）を調節して日よけ板の角度が垂直に近いながら互いに異なる日よけ板の陰影によって隣接の日よけ板に陰影が生じるのを防止することによって、太陽光発電を効率的に行うと共に季節別に直射光線が直間接的に室内に流入することを異にして室内の明るさと室内温度を調節することができる、太陽光モジュールを用いた追跡式ブラインド装置を提供しようとする。
【００１６】
また、本発明の実施例は、太陽光モジュールが含まれ隣接した日よけ板が太陽高度角によって日よけ板の角度および離隔距離を自動的に調節するだけでなく手動でも調節することができる、太陽光モジュールを用いた追跡式ブラインド装置を提供しようとする。
【００１７】
また、本発明の実施例は、太陽光モジュールが付着された第１領域と太陽光モジュールが付着されていない第２領域に区分され、前記第１および第２領域の間に位置した回転軸を中心に第１および第２領域を個別的に回転させることによって、日よけ板（ブラインド）が畳まれる部分を通じて太陽高度角によって日よけ板の傾斜角と直射光線の流入または遮断を決定することができる、太陽光モジュールを用いた追跡式ブラインド装置を提供しようとする。
【課題を解決するための手段】
【００１８】
本発明の第１側面によれば、予め設定された間隔で離隔して光の透過量を調節する複数の日よけ板；前記複数の日よけ板に付着され、太陽光を用いて発電する太陽光モジュール；前記複数の日よけ板と連結されて日よけ板傾斜角および日よけ板間距離をそれぞれ調節する駆動部；および使用者命令によって発電モード、私生活保護モードおよび採光モードのうちのいずれか一つの運転モードを設定し、前記設定された運転モード、現在の節気および時刻および太陽高度角によって日よけ板傾斜角および日よけ板間距離をそれぞれ制御する制御部を含む太陽光モジュールを用いた追跡式ブラインド装置が提供され得る。
【００１９】
前記複数の日よけ板は、日よけ板間距離が日よけ板幅の予め設定された倍数であり前記太陽光モジュールが付着された少なくとも一つの発電用日よけ板と、前記発電用日よけ板の下端に互いに隣接して位置し前記太陽光モジュールが付着されていない少なくとも一つの私生活保護用日よけ板を含むことができる。
【００２０】
前記制御部は、前記設定された運転モードが発電モードであり太陽高度角が予め設定された高度角以下であれば、日よけ板傾斜角を太陽高度角と垂直な傾斜角に制御し、日よけ板間距離を日よけ板幅の予め設定された倍数に制御することができる。
【００２１】
前記制御部は、前記設定された運転モードが私生活保護モードの最上位等級であれば、日よけ板傾斜角を完全遮蔽状態に制御し、日よけ板間距離を日よけ板幅に制御することができる。
【００２２】
前記制御部は、前記設定された運転モードが私生活保護モードの最上位等級でない私生活保護モードの下位等級であり太陽高度角が予め設定された高度角以下であれば、日よけ板傾斜角を太陽高度角と垂直な傾斜角に制御し、日よけ板間距離を日よけ板に直射光線が流入しない日よけ板間距離に制御することができる。
【００２３】
前記制御部は、前記設定された運転モードが採光モードであり太陽高度角が予め設定された高度角以下であれば、日よけ板傾斜角を太陽高度角と垂直な傾斜角に制御し、日よけ板間距離を日よけ板に直射光線が流入する日よけ板間距離に制御することができる。
【００２４】
前記制御部は、太陽高度角が予め設定された高度角を超過すれば、日よけ板傾斜角を日よけ板に陰影が生じない日よけ板傾斜角に制御し、日よけ板間距離を日よけ板幅の予め設定された倍数に制御することができる。
【００２５】
前記複数の日よけ板は、前記太陽光モジュールが付着された第１領域と前記太陽光モジュールが付着されていない第２領域に区分され、前記日よけ板の第１および第２領域の間に位置した回転軸を中心に前記日よけ板の第１および第２領域が個別的に動作可能である。
【００２６】
前記複数の日よけ板は、前記太陽光モジュールが付着された日よけ板の第１領域と前記太陽光モジュールが付着されていない第２領域にそれぞれ分離されており、前記日よけ板の第１領域と第２領域の間に位置した仮想の回転軸を中心に前記日よけ板の第１領域と第２領域が回転可能である。
【００２７】
前記制御部は、前記設定された運転モードと、現在の節気および時刻と、太陽高度角および予め設定された高度角間の比較結果によって前記太陽光モジュールが付着された日よけ板の第１領域と前記太陽光モジュールが付着されていない日よけ板の第２領域の傾斜角を個別的に制御して直射光線を流入させるか遮断させることができる。
【発明の効果】
【００２８】
本発明の実施例は、運転モード、現在の節気および時刻および太陽高度角によって太陽光モジュールが付着された日よけ板を駆動して日よけ板間の間隔、日よけ板（全体または一部分）の傾斜角度を互いに異なるように調節して日除けおよび採光、日よけ板陰影問題の解決が可能で太陽光発電効率の極大化が可能である。
【００２９】
本発明の実施例は、太陽光発電時に太陽高度角と日よけ板間の離隔距離（隣接距離）および日よけ板の傾斜角（角度）を調節して日よけ板の角度（線）と太陽高度角（線）が垂直に近く会いながら互いに異なる日よけ板の陰影によって隣接の日よけ板に陰影が生じるのを防止することによって、太陽光発電を効率的に行うと共に季節別に直射光線が直間接的に室内に流入することを異にして室内の明るさと室内温度を調節することができる。
【００３０】
また、本発明の実施例は、太陽光モジュールが含まれ隣接した日よけ板が太陽高度角によって日よけ板の角度および離隔距離を自動だけでなく手動で調節することができる。
【００３１】
また、本発明の実施例は、太陽光モジュールが付着されている第１日よけ板領域と太陽光モジュールが付着されていない第２日よけ板領域に区分され、前記第１および第２日よけ板領域の間に位置した回転軸を中心に第１および第２日よけ板領域を個別的に回転させることによって、日よけ板（ブラインド）が畳まれる部分を通じて太陽高度角によって日よけ板の傾斜角と直射光線の流入または遮断を決定することができる。
【００３２】
したがって、本発明の実施例は、大部分の太陽光発電が可能な大部分の時間日よけ板の傾斜角（線）と太陽高度角（線）がなす角は垂直に近く維持しながら日除けおよび採光、日よけ板の陰影問題の解決が可能で太陽光発電効率の極大化が可能である。即ち、本発明の実施例は、このような条件を充足させるので従来の技術より発電効率を増加させることができ効用性が高い。
【図面の簡単な説明】
【００３３】
【図１】本発明の実施例による太陽光モジュールを用いた追跡式ブラインド装置の構成図である。
【図２】本発明の第１実施例による発電用日よけ板および私生活保護用日よけ板を備えた追跡式ブラインド装置の構造図である。
【図３】本発明の第１実施例による図２の発電用日よけ板を拡大図示した図である。
【図４】本発明の第１実施例での季節別南中高度による日よけ板の傾斜角、陰影の長さ、直射光線流入程度に関する説明図である。
【図５】本発明の第２実施例による第１および第２領域に区分された発電用日よけ板を備えた追跡式ブラインド装置の構造図である。
【図６】本発明の第２実施例による図５の第１および第２角度調節紐を拡大図示した図である。
【図７】本発明の第２実施例による図５の第１および第２角度調節紐を拡大図示した図である。
【図８】本発明の第２実施例による図５の第１および第２領域に区分された日よけ板を拡大図示した図である。
【図９】本発明の第１実施例による一般発電モードでの追跡式ブラインド装置の動作方法に関するフローチャートである。
【図１０ａ】本発明の第１実施例による私生活保護モードでの追跡式ブラインド装置の動作方法に関するフローチャートである。
【図１０ｂ】本発明の第１実施例による私生活保護モードでの追跡式ブラインド装置の動作方法に関するフローチャートである。
【図１１】本発明の第１実施例による採光モードでの追跡式ブラインド装置の動作方法に関するフローチャートである。
【図１２ａ】本発明の第２実施例による私生活保護モードでの追跡式ブラインド装置の動作方法に関するフローチャートである。
【図１２ｂ】本発明の第２実施例による私生活保護モードでの追跡式ブラインド装置の動作方法に関するフローチャートである。
【図１２ｃ】本発明の第２実施例による私生活保護モードでの第１および第２領域に区分された日よけ板の動作に関する説明図である。
【図１３ａ】本発明の第２実施例による採光および直射モードでの追跡式ブラインド装置の動作方法に関するフローチャートである。
【図１３ｂ】本発明の第２実施例による採光および直射モードでの第１および第２領域に区分された日よけ板の動作に関する説明図である。
【図１４】本発明の第３実施例による第１および第２領域にそれぞれ分離された日よけ板を拡大図示した図である。
【図１５】太陽光発電装置種類別発電量比率比較を示した図である。
【図１６】従来のブラインド型太陽光発電装置と本発明の実施例による追跡式ブラインド装置の眺望および室内温度調節能力比較を示した図である。
【発明を実施するための形態】
【００３４】
以下、本発明の実施例を添付された図面を参照して説明する。本発明による動作および作用を理解することに必要な部分を中心に詳しく説明する。本発明の実施例を説明しながら、本発明の属する技術分野に十分知られており本発明と直接的に関連がない技術内容については説明を省略する。これは不必要な説明を省略することによって本発明の要旨をぼやかさずより明確に伝達するためである。
【００３５】
また、本発明の構成要素を説明することにおいて、同一な名称の構成要素について図面によって異なる参照符号を付与することもでき、互いに異なる図面であるが同一な参照符号を付与することもできる。しかし、このような場合であっても該当構成要素が実施例によって互いに異なる機能を有するということを意味するか、互いに異なる実施例で同一な機能を有するということを意味するのではなく、それぞれの構成要素の機能は該当実施例でのそれぞれの構成要素に関する説明に基づいて判断しなければならない。
【００３６】
図１は、本発明の実施例による太陽光モジュールを用いた追跡式ブラインド装置の構成図である。
【００３７】
図１に示されているように、本発明の実施例による太陽光モジュールを用いた追跡式ブラインド装置１００は、太陽光モジュール１１０、複数の日よけ板１２０、駆動部１３０および制御部１４０を含む。ここで、追跡式ブラインド装置１００は、使用者インターフェース部１５０およびデータ保存部１６０をさらに含むことができる。
【００３８】
以下、図１の太陽光モジュール１１０を用いた追跡式ブラインド装置１００の各構成要素の具体的な構成および動作を説明する。
【００３９】
太陽光モジュール１１０は複数の日よけ板１２０にそれぞれ付着され、太陽光を用いて発電する。太陽光モジュール１１０は各日よけ板１２０に備えられ、照射される光で電力を発生させる。ここで、太陽光モジュール１１０は、薄膜（ＣＩＧＳ（Ｃｏｐｐｅｒ−ｉｎｄｉｕｍ−ｇａｌｌｉｕｍ−ｓｅｌｅｎｉｄｅ  Ｓｏｌａｒ  Ｃｅｌｌ）、ＣｄＴｅ（Ｃａｄｍｉｕｍ  Ｔｅｌｌｕｒｉｄｅ）、ａ−ｓｉ（Ａｍｏｒｐｈｏｕｓ  Ｓｉｌｉｃｏｎ）など）モジュール型に形成され得る。
【００４０】
ここで、複数の日よけ板１２０は、太陽光モジュール１１０を電気的に順次に直列または並列連結し、電気を引出すための出力線をさらに含むことができる。太陽光モジュール１１０が付着された隣接のそれぞれの日よけ板１２０は、互いに陰極と陽極を直列または並列に連結することができる。太陽光モジュール１１０は直並列に直列または並列に連結され得る。
【００４１】
複数の日よけ板１２０は、予め設定された間隔で離隔されて光の透過量を調節する。日よけ板１２０は、設けられる窓の高さまたは日よけ板１２０の縦方向に相互一定の間隔で離隔されて光の透過量を調節する。一例として、複数の日よけ板１２０は日よけ板の幅、即ち、縦の長さの２倍だけ一定の間隔で離隔され得る。ここで、複数の日よけ板１２０は、場合によって日よけ板の縦の長さの１倍〜２倍まで必要によって駆動部１３０によって調節され得る。
【００４２】
駆動部１３０は、複数の日よけ板１２０と連結された角度調節紐１２３、開閉調節紐１２４および間隔調節紐１２５を通じて日よけ板傾斜角および日よけ板間距離を調節する。駆動部１３０は、各日よけ板１２０の角度を変化させるかまたは各日よけ板１２０を移動させて相互間の離隔距離を調節するか相互重なるか広げられるように移動させることができる。
【００４３】
一方、制御部１４０は、使用者の命令によって発電モード、私生活保護モードおよび採光モードのうちのいずれか一つの運転モードを設定し、その設定された運転モードと、現在の節気および時刻と、太陽高度角および予め設定された高度角（例えば、６０°）間の比較結果によって日よけ板傾斜角および日よけ板間距離を制御する。ここで、予め設定された高度角は、特定角度、即ち、６０°に限定されず、他の高度角に変更され得る。
【００４４】
日よけ板傾斜角および日よけ板間距離の制御動作を具体的に見てみると、制御部１４０は、その設定された運転モードが発電モードであり、太陽高度角が予め設定された高度角以下であれば、日よけ板傾斜角を太陽高度角と垂直な傾斜角に制御し、日よけ板間距離を日よけ板幅の予め設定された倍数に制御することができる。
【００４５】
また、制御部１４０は、その設定された運転モードが私生活保護モードの最上位等級（例えば、１等級）であれば、日よけ板傾斜角を完全遮蔽状態に制御し、日よけ板間距離を日よけ板幅に制御することができる。
【００４６】
反面、制御部１４０は、その設定された運転モードが私生活保護モードの最上位等級（例えば、１等級）でない私生活保護モードの下位等級（例えば、２等級）であり、太陽高度角が予め設定された高度角以下であれば、日よけ板傾斜角を太陽高度角と垂直な傾斜角に制御し、日よけ板間距離を日よけ板１２０に直射光線が流入しない日よけ板間距離に制御することができる。
【００４７】
一方、制御部１４０は、その設定された運転モードが採光モードであり、太陽高度角が予め設定された高度角以下であれば、日よけ板傾斜角を太陽高度角と垂直な傾斜角に制御し、日よけ板間距離を日よけ板１２０に直射光線が流入する日よけ板間距離に制御することができる。
【００４８】
追跡式ブラインド装置１００の運転モードに関係なく太陽高度角が予め設定された高度角を超過すれば、制御部１４０は日よけ板傾斜角を日よけ板１２０に陰影が生じない日よけ板傾斜角に制御し、日よけ板間距離を日よけ板幅の予め設定された倍数に制御することができる。
【００４９】
使用者インターフェース部１５０は、使用者から使用者命令を受信する。ここで、使用者インターフェース部１５０は、使用者が操作する使用者端末、リモコンなどを通じて使用者命令を受信することができる。このために、使用者インターフェース部１５０は、使用者端末またはリモコンを通じて使用者命令を受信できる通信モジュールを含むことができる。また、使用者インターフェース部１５０は、使用者から直接使用者命令の入力を受けるか、使用者命令に対する結果または現在状態を出力できる入出力モジュールをさらに含むことができる。
【００５０】
データ保存部１６０は、追跡式ブラインド装置１００で太陽光モジュール１１０が付着された日よけ板１２０の駆動を制御するために必要なデータなどを保存する。
【００５１】
一方、使用者はプログラミング駆動方式でない手動で追跡式ブラインド装置１００を操作することができる。季節を２４節気または１２節気に区分して、使用者が１ヶ月に１〜２回を手動で日よけ板１２０の角度および日よけ板間の間隔を調節することができる。
【００５２】
したがって、このような使用者の手動操作方式には別途の動力が必要でない。また、使用者の手動操作方式は追跡式ブラインド装置１００の生産単価が低廉である。自動化に比べて構造的に簡単で故障時Ａ／Ｓに必要な時間および費用が低いこともある。
【００５３】
図２は、本発明の第１実施例による発電用日よけ板および私生活保護用日よけ板を備えた追跡式ブラインド装置の構造図である。
【００５４】
本発明の第１実施例による追跡式ブラインド装置１００は、発電用日よけ板１２１および私生活保護用日よけ板１２２の角度および間隔を季節、時間、運転モードなどによって調節することができる。即ち、このような追跡式ブラインド装置１００は、季節および時間別に発電用日よけ板１２１および私生活保護用日よけ板１２２の間隔と角度を自動的に調整するようになる。
【００５５】
発電用日よけ板１２１の作動方法としては、追跡式ブラインド装置１００はプログラムによる作動で実際の作動値を太陽高度角に垂直に近いように発電用日よけ板１２１の傾斜角および間隔を調節する。
【００５６】
ここで、追跡式ブラインド装置１００は、使用者命令をリモコンまたは使用者端末から受信して運転モードを設定し、その設定された運転モード、現在の季節および時間および太陽高度角によって日よけ板の傾斜角および日よけ板間距離を調節することができる。
【００５７】
このために、追跡式ブラインド装置１００は、一般発電モードでは日よけ板間隔を日よけ板幅の２倍に調節することができる。また、追跡式ブラインド装置１００は、備えられた私生活保護用日よけ板１２２を用いて私生活保護モードの動作を行う。
【００５８】
ここで、追跡式ブラインド装置１００の運転モードは多様な運転モードの選択はリモコンで選択され得る。
【００５９】
図２を参照すれば、本発明の実施例による発電用日よけ板１２１および私生活保護用日よけ板１２２を備えた追跡式ブラインド装置１００は、日よけ板間距離が日よけ板幅の予め設定された倍数であり前記太陽光モジュール１１０が付着された少なくとも一つの発電用日よけ板１２１と、発電用日よけ板１２１の下端に互いに隣接して位置し前記太陽光モジュール１１０が付着されていない少なくとも一つの私生活保護用日よけ板１２２を含む。
【００６０】
一例として、私生活保護用日よけ板１２２は、発電用日よけ板１２１の１倍以上の数量が備えられている。
【００６１】
制御部１４０は、発電モードの時、発電用日よけ板１２１間の間隔が日よけ板幅の２倍以上になるように駆動部１３０を制御することができる。
【００６２】
この時、発電用日よけ板１２１間の間隔が日よけ板幅の２倍以上である時の効果を見てみると、追跡式ブラインド装置１００は日よけ板間の陰影を防止して最適の発電効率を可能にすることができる。
【００６３】
追跡式ブラインド装置１００は、発電用日よけ板１２１間の広い間隔で太陽電池表面の温度が上昇しても室内温度によって早い時間に太陽光モジュール１１０の温度を下降させて、太陽光モジュール１１０の上昇した温度による発電効率減少を減らし最適の発電効率を可能にすることができる。
【００６４】
また、追跡式ブラインド装置１００は、採光と室内温度調節を容易にすることができる。追跡式ブラインド装置１００は、視野確保および通風（換気）を容易にすることができる。発電時にも日よけ板の角度および日よけ板間の間隔が日よけ板幅の２倍以上であるので、使用者が外部を見ることができあまり息苦しくなく感じられる。
【００６５】
この時、本発明の実施例では遮光および私生活保護の効果が弱いため、完全な遮光および私生活保護のためには別途の暗幕ブラインドまたは二重構造の遮光および私生活保護目的のカーテンが必要なことがある。
【００６６】
しかし、本発明の実施例による追跡式ブラインド装置１００は、ブラインドの下端部分に太陽光モジュール１１０が付着されていない日よけ板１２２を用いて私生活保護目的で日よけ板間の距離を日よけ板幅の１倍に減らして遮光および私生活保護を強化することができる。即ち、追跡式ブラインド装置１００は、下端に隣接して位置した私生活保護用日よけ板１２２を順次に発電用日よけ板１２１が位置した方向に移動させ、発電用日よけ板１２１および私生活保護用日よけ板１２２に対して各日よけ板の間隔を減らして太陽光を遮光させることができる。
【００６７】
ここで、日よけ板１２１を水平にした時にガラス窓から遠くなった横辺は陰影が生じても太陽光発電に問題がないように一定部分を離隔して、太陽光モジュール１１０が付着された日よけ板１２１が設置され得る。
【００６８】
図３は、本発明の第１実施例による図２の発電用日よけ板を拡大図示した図である。
【００６９】
図３を参照すれば、本発明の第１実施例による図２の発電用日よけ板１２１は、日よけ板間の距離が日よけ板幅（Ｘ）の予め設定された倍数（例えば、２倍）であり得る。
【００７０】
駆動部１３０は、各発電用日よけ板１２１と連結された角度調節紐１２３、開閉調節紐１２４および間隔調節紐１２５を通じて日よけ板傾斜角および日よけ板間距離を調節する。一例として、駆動部１３０は、間隔調節紐１２５を通じて各日よけ板間の距離が一定に日よけ板幅（Ｘ）の１倍〜２倍の距離（Ｘ⇔２Ｘ）に調節することができる。
【００７１】
図３に示された間隔調節紐１２５の例示では、日よけ板１２１の中央を基準に対称の各地点に２つの間隔調節紐が連結されてなっている。ここで、間隔調節紐１２５は日よけ板間の距離を調節するためのものであって、間隔調節紐の個数や位置が変更され得る。したがって、間隔調節紐１２５は特定個数や特定位置に限定されない。
【００７２】
図４は、本発明の第１実施例での季節別南中高度による日よけ板の傾斜角、陰影の長さ、直射光線流入程度に関する説明図である。
【００７３】
季節別南中高度による発電用日よけ板１２１の傾斜角が図４の（ａ）〜（ｃ）に示されている。ここで、緯度が３７°であり、発電用日よけ板１２１間の間隔を日よけ板幅の２倍に仮定することにする。即ち、太陽光モジュール１１０が付着されていない私生活保護用日よけ板１２２は、追跡式ブラインド装置１００の下端に互いに隣接して位置している。
【００７４】
図４の（ａ）に示されているように、南中高度（夏至）が７５．５０°即ち、太陽光１０１の傾斜角が７５．５０°である時、制御部１４０は発電用日よけ板１２１の傾斜角を７４．４５°に制御することができる。
【００７５】
図４の（ｂ）に示されているように、南中高度（春分または秋分）が５２．４７°即ち、太陽光１０１の傾斜角が５２．４７°である時、制御部１４０は発電用日よけ板１２１の傾斜角を３７．５３°に制御することができる。ここで、発電用日よけ板１２１の傾斜角は太陽光に垂直な傾斜角に調節される。
【００７６】
図４の（ｃ）に示されているように、南中高度（冬至）が２８．５９°即ち、太陽光１０１の傾斜角が２８．５９°である時、制御部１４０は発電用日よけ板１２１の傾斜角を６１．４１°に制御することができる。ここで、発電用日よけ板１２１の傾斜角は、太陽光に垂直な傾斜角に調節される。
【００７７】
ここで、節気別南中高度は年度ごとに周期的に微細に変動する。したがって節気別南中高度（例えば、夏至、春分または秋分、冬至）の傾斜角は特定傾斜角に限定されず、年度ごとに異なって適用され得る。
【００７８】
図５は、本発明の第２実施例による第１および第２領域に区分された発電用日よけ板を備えた追跡式ブラインド装置の構造図である。
【００７９】
図５に示されているように、本発明の第２実施例による追跡式ブラインド装置１００で各発電用日よけ板１２１は、太陽光モジュール１１０が付着された第１領域と太陽光モジュール１１０が付着されていない第２領域に区分される。
【００８０】
例えば、第１および第２領域の比率が５０：５０である場合、発電用日よけ板１２１の１／２に該当する面積を陰影が生じない発電用日よけ板１２１の前の部分（ガラス窓と近接した部分）にのみ太陽光モジュール１１０が付着され得る。これによって構造的に簡単に太陽光モジュール１１０が付着された日よけ板が追跡式ブラインド装置１００に設置され得る。
【００８１】
ここで、駆動部１３０は、第１および第２領域の間に位置した回転軸を中心に個別的に発電用日よけ板１２１の第１および第２領域を個別的に回転させる。
【００８２】
一例として、駆動部１３０は、第１および第２領域を同時に回転させる第１駆動モジュールと、第２領域のみを個別的に回転させる第２駆動モジュールを含むことができる。
【００８３】
他の例として、駆動部１３０は、第１領域のみを回転させる第１駆動モジュールと、第２領域のみを回転させる第２駆動モジュールを含むことができる。
【００８４】
追跡式ブラインド装置１００は太陽光モジュール１１０が付着されていない第２領域の傾斜角を調節する第２角度調節紐１２７を通じて直射光線を流入させるか遮断させることができるため、日よけ板１２１間の距離が広くないため発生する採光と直射光線の流入および遮断問題を解決することができる。
【００８５】
制御部１４０は、設定された運転モードと、現在の節気および時刻と、太陽高度角および予め設定された高度角間の比較結果によって発電用日よけ板１２１での第１および第２領域の傾斜角を個別的に制御して直射光線を流入させるか遮断させることができる。
【００８６】
図６および図７は、本発明の第２実施例による図５の第１および第２角度調節紐を拡大図示した図である。
【００８７】
本発明の第２実施例による図５の角度調節紐１２６、１２７は、第１角度調節紐１２６および第２角度調節紐１２７に区分され得る。
【００８８】
図６に示されているように、第１角度調節紐１２６は、日よけ板１２１の左側端および右側端に連結される。第１角度調節紐１２６は、駆動部１３０の第１および第２領域を同時に回転させるのに用いられる。
【００８９】
また、第２角度調節紐１２７は、日よけ板１２１の第２領域に該当する地点に連結される。即ち、第２角度調節紐１２７は開閉調節紐１２４と日よけ板１２１の右側端の間に位置する。第２角度調節紐１２７は、第２領域のみを回転させるのに用いられる。
【００９０】
図５の角度調節紐１２６、１２７に関する他の例を図７を参照して見てみることにする。
【００９１】
図７に示されているように、第１角度調節紐１２６は第１領域に該当する地点に連結される。即ち、第１角度調節紐１２６は日よけ板１２１の左側端と開閉調節紐１２４の間に連結される。第１角度調節紐１２６は第１領域を独立的に回転させるのに用いられる。
【００９２】
また、第２角度調節紐１２７は、日よけ板１２１の第２領域に該当する地点に連結される。即ち、第２角度調節紐１２７は、開閉調節紐１２４と日よけ板１２１の右側端の間に連結される。第２角度調節紐１２７は第２領域のみを独立的に回転させるのに用いられる。
【００９３】
図８は、本発明の第２実施例による図５の第１および第２領域に区分された日よけ板を拡大図示した図である。
【００９４】
第１および第２領域に区分された発電用日よけ板１２１は製作が容易で単純な構造になっており、太陽光モジュール１１０が一部領域にのみ付着され経済性が高い。
【００９５】
本発明の第２実施例による第１および第２領域に区分された発電用日よけ板１２１を備えた追跡式ブラインド装置１００は、季節および時間別に発電用日よけ板１２１の間隔と角度を自動的に調整するようになる。
【００９６】
本発明の第２実施例による追跡式ブラインド装置１００は、プログラムによる作動で運転モードによって実際の作動値を算出し第１および第２領域の傾斜角を調節することができる。
【００９７】
一例として、発電用日よけ板１２１の間隔は日よけ板幅の１倍であり、本発明の第１実施例による私生活保護用日よけ板１２２なく直射光線の流入または遮断を行うことができる。
【００９８】
図８に示されているように、発電用日よけ板１２１の約１／２部分のみ太陽光モジュール１１０が付着されている。駆動部１３０は、各部分の第１および第２領域のそれぞれの角度を調整して状況によって私生活保護モードおよび採光モードのうちのいずれか一つの運転モードの条件を満足させるようになる。
【００９９】
第１および第２領域の間には発電用日よけ板１２１が畳まれる部分即ち、回転軸１２８があって、制御部１４０は太陽高度角によって日よけ板の傾斜角と直射光線の流入および遮断を決定するように駆動部１３０を制御することができる。
【０１００】
そうすれば、駆動部１３０は複数の日よけ板と連結された角度調節紐１２６と１２７を通じて第１および第２領域の傾斜角を調節することができる。
【０１０１】
図９は、本発明の第１実施例による一般発電モードでの追跡式ブラインド装置の動作方法に関するフローチャートである。
【０１０２】
一般発電モードでの追跡式ブラインド装置１００は、季節、時間および天気を考慮して発電量に重点を置いた基本値で発電量が最大限多いように駆動部１３０を制御することができる。
【０１０３】
以下、発電モードでの追跡式ブラインド装置１００の動作方法を図９を参照して見てみることにする。
【０１０４】
追跡式ブラインド装置１００は、使用者命令によって運転モードを発電モード（Ｄｅｆａｕｌｔ）に設定する（Ｓ１０１）。ここで、本発明の第１実施例では発電モードがデフォルトで設定される。
【０１０５】
追跡式ブラインド装置１００は、追跡式ブラインド装置１００をプログラミング制御方式に基づいて駆動する（Ｓ１０２）。
【０１０６】
追跡式ブラインド装置１００の制御部１４０は、現在の節気および時刻を確認する（Ｓ１０３）。
【０１０７】
追跡式ブラインド装置１００の制御部１４０は、日よけ板の初期位置を設定し、日よけ板間距離（Ｃ）を日よけ板幅（Ｘ）の２倍に設定する（Ｓ１０４）。
【０１０８】
追跡式ブラインド装置１００の制御部１４０は、一定の周期で太陽高度角を確認し、その確認された太陽高度角（Ａ）が予め設定された高度角（例えば、６０°）以下であるかを確認する（Ｓ１０５）。
【０１０９】
前記確認の結果（Ｓ１０５）、太陽高度角（Ａ）が６０°以下であれば、制御部１４０は日よけ板傾斜角（Ｂ）を太陽高度角と垂直な傾斜角（９０°−Ａ）に制御する（Ｓ１０６）。ここで、一般に、節気（陽暦）は９月４日〜４月９日に該当する。
【０１１０】
反面、前記確認の結果（Ｓ１０５）、太陽高度角（Ａ）が６０°を超過すれば、制御部１４０は日よけ板傾斜角（Ｂ）を日よけ板に陰影が生じない傾斜角に制御する（Ｓ１０７）。例えば、制御部１４０は３０．６６°〜７４．４５°の傾斜角範囲内で日よけ板傾斜角（Ｂ）を制御することができる。ここで、一般に、節気（陽暦）は４月１０日〜９月３日に該当し、時間は午前１０時（または節気によって１１時）〜午後２時（または節気によって午後１時）に該当する。
【０１１１】
その後、追跡式ブラインド装置１００は、時間が経過して太陽が日没であるかを確認する（Ｓ１０８）。
【０１１２】
前記確認の結果（Ｓ１０８）、太陽が日没でなければ、追跡式ブラインド装置１００は一定の周期で太陽高度角を確認するＳ１０５過程から再び行う。
【０１１３】
反面、前記確認の結果（Ｓ１０８）、太陽が日没であれば、追跡式ブラインド装置１００は太陽光モジュール１１０を用いた追跡式ブラインド装置１００での発電モードを終了する。
【０１１４】
図１０ａ及び図１０ｂは、本発明の第１実施例による私生活保護モードでの追跡式ブラインド装置の動作方法に関するフローチャートである。
【０１１５】
私生活保護モードでの追跡式ブラインド装置１００は、等級別に差等をおいて私生活保護目的を遂行することができる。
【０１１６】
一例として、私生活保護等級が１等級または２等級に区分される場合を見てみることにする。
【０１１７】
私生活保護等級が１等級である場合、追跡式ブラインド装置１００は完全遮蔽状態に駆動部１３０を通じて日よけ板の傾斜角および間隔を制御する。即ち、追跡式ブラインド装置１００は、発電用日よけ板と私生活保護用日よけ板の傾斜角を垂直方向に調節し、日よけ板間の間隔を日よけ板幅の１倍に調節する。
【０１１８】
一方、私生活保護等級が２等級である場合、追跡式ブラインド装置１００は発電用日よけ板を用いて隣接した日よけ板が陰影を発生させないように日よけ板の間隔および角度を調節しながら季節に関係なく直射光線の流入を遮断することができる。追跡式ブラインド装置１００はこのような日よけ板間隔および角度調節を通じて室内の明るさと日よけ板の遮蔽を通じて私生活保護の目的を達成することができる。
【０１１９】
以下、私生活保護モードでの追跡式ブラインド装置１００の動作方法を図１０ａ及び図１０ｂを参照して見てみることにする。
【０１２０】
追跡式ブラインド装置１００は、使用者命令によって私生活保護モードの等級を１等級または２等級に選択される（Ｓ２０１）。
【０１２１】
前記選択の結果（Ｓ２０１）が１等級であれば、追跡式ブラインド装置１００は私生活保護モードの等級を１等級に設定する（Ｓ２０２）。
【０１２２】
追跡式ブラインド装置１００は、追跡式ブラインド装置１００をプログラミング制御方式に基づいて駆動する（Ｓ２０３）。
【０１２３】
追跡式ブラインド装置１００の制御部１４０は、現在の節気および時刻を確認する（Ｓ２０４）。
【０１２４】
追跡式ブラインド装置１００の制御部１４０は日よけ板の位置を設定し、日よけ板間距離（Ｃ）を日よけ板幅（Ｘ）の１倍に制御して、日よけ板傾斜角（Ｂ）が９０°になるように制御する（Ｓ２０５）。
【０１２５】
その後、追跡式ブラインド装置１００は、時間が経過して太陽が日没であるかを確認する（Ｓ２０６）。
【０１２６】
前記確認の結果（Ｓ２０６）、太陽が日没でなければ、追跡式ブラインド装置１００は現在の節気および時刻を確認するＳ２０４過程から再び行う。
【０１２７】
反面、前記確認の結果（Ｓ２０６）、太陽が日没であれば、追跡式ブラインド装置１００は、太陽光モジュール１１０を用いた追跡式ブラインド装置１００での私生活保護モードを終了する。
【０１２８】
一方、前記選択の結果（Ｓ２０１）が２等級であれば、追跡式ブラインド装置１００は私生活保護モードの等級を２等級に設定する（Ｓ２１１）。
【０１２９】
追跡式ブラインド装置１００は、追跡式ブラインド装置１００をプログラミング制御方式に基づいて駆動する（Ｓ２１２）。
【０１３０】
追跡式ブラインド装置１００の制御部１４０は、現在の節気および時刻を確認する（Ｓ２１３）。
【０１３１】
追跡式ブラインド装置１００の制御部１４０は一定の周期で太陽高度角を確認し、その確認された太陽高度角（Ａ）が６０°以下であるかを確認する（Ｓ２１４）。
【０１３２】
前記確認の結果（Ｓ２１４）、太陽高度角（Ａ）が６０°以下であれば、制御部１４０は日よけ板傾斜角（Ｂ）を太陽高度角と垂直な傾斜角（９０°−Ａ）に制御する（Ｓ２１５）。
【０１３３】
そして、制御部１４０は、室内に直射光線が流入しない日よけ板間間隔を維持する（Ｓ２１６）。
【０１３４】
反面、前記確認の結果（Ｓ２１４）、太陽高度角（Ａ）が６０°を超過すれば、制御部１４０は日よけ板傾斜角（Ｂ）を日よけ板に陰影が生じない傾斜角に補正し、日よけ板間距離（Ｃ）が日よけ板幅（Ｘ）の２倍になるように制御する（Ｓ２１７）。ここで、日よけ板に陰影が生じない日よけ板の傾斜角範囲（Ｂ）は３０．６６°〜７４．４５°であり得る。
【０１３５】
その後、追跡式ブラインド装置１００は、時間が経過して太陽が日没であるかを確認する（Ｓ２１８）。
【０１３６】
前記確認の結果（Ｓ２１８）、太陽が日没でなければ、追跡式ブラインド装置１００は現在の節気および時刻を確認するＳ２１３過程から再び行う。
【０１３７】
反面、前記確認の結果（Ｓ２１８）、太陽が日没であれば、追跡式ブラインド装置１００は、太陽光モジュール１１０を用いた追跡式ブラインド装置１００での私生活保護モードを終了する。
【０１３８】
図１１は、本発明の第１実施例による採光モードでの追跡式ブラインド装置の動作方法に関するフローチャートである。
【０１３９】
採光モードでの追跡式ブラインド装置１００は、直射光線の室内流入程度を決定するようになる。ここで、採光モードは直射光線モードと称され得る。
【０１４０】
採光モードでの追跡式ブラインド装置１００は、直射光線の流入を季節別に隣接した日よけ板に陰影が生じない状態で直射光線が室内に適切に流入するように駆動部１３０を制御する。
【０１４１】
以下、採光モードでの追跡式ブラインド装置１００の動作方法を図１１を参照して見てみることにする。
【０１４２】
追跡式ブラインド装置１００は、使用者命令によって運転モードを採光モードに設定する（Ｓ３０１）。
【０１４３】
追跡式ブラインド装置１００は、追跡式ブラインド装置１００をプログラミング制御方式に基づいて駆動する（Ｓ３０２）。
【０１４４】
追跡式ブラインド装置１００の制御部１４０は、現在の節気および時刻を確認する（Ｓ３０３）。
【０１４５】
追跡式ブラインド装置１００の制御部１４０は、一定の周期で太陽高度角を確認し、その確認された太陽高度角（Ａ）が６０°以下であるかを確認する（Ｓ３０４）。
【０１４６】
前記確認の結果（Ｓ３０４）、太陽高度角（Ａ）が６０°以下であれば、制御部１４０は日よけ板傾斜角（Ｂ）を太陽高度角と垂直な傾斜角（９０°−Ａ）に制御する（Ｓ３０５）。
【０１４７】
そして、制御部１４０は、室内に直射光線が流入する日よけ板間間隔を維持する（Ｓ３０６）。
【０１４８】
反面、前記確認の結果（Ｓ３０４）、太陽高度角（Ａ）が６０°を超過すれば、制御部１４０は日よけ板傾斜角（Ｂ）を日よけ板に陰影が生じない傾斜角に補正し、日よけ板間距離（Ｃ）が日よけ板幅（Ｘ）の２倍になるように制御する（Ｓ３０７）。
【０１４９】
その後、追跡式ブラインド装置１００は、時間が経過して太陽が日没であるかを確認する（Ｓ３０８）。
【０１５０】
前記確認の結果（Ｓ３０８）、太陽が日没でなければ、追跡式ブラインド装置１００は現在の節気および時刻を確認するＳ３０３過程から再び行う。
【０１５１】
反面、前記確認の結果（Ｓ３０８）、太陽が日没であれば、追跡式ブラインド装置１００は太陽光モジュール１１０を用いた追跡式ブラインド装置１００での採光モードを終了する。
【０１５２】
図１２ａ及び図１２ｂは、本発明の第２実施例による私生活保護モードでの追跡式ブラインド装置の動作方法に関するフローチャートである。図１２ｃは、本発明の第２実施例による私生活保護モードで第１および第２領域に区分された日よけ板動作に関する説明図である。
【０１５３】
まず、図１２ｃに示されているように、本発明の第２実施例による日よけ板は第１領域ｂ１および第２領域ｂ２からなる。日よけ板の第１領域ｂ１は水平であれば０°の傾斜角を有し、水平を基準に回転する角度によって第１領域ｂ１の日よけ板傾斜角（∠ｂ１）を有する。また、日よけ板の第２領域ｂ２は水平であれば０°の傾斜角を有し、水平を基準に回転する角度によって第２領域ｂ２の日よけ板傾斜角（∠ｂ２）を有する。
【０１５４】
私生活保護モードでの追跡式ブラインド装置１００は、等級別に差等をおいて私生活保護目的を遂行することができる。一例として、私生活保護等級が１等級または２等級（ｄｅｆａｕｌｔ）に区分される。
【０１５５】
以下、図１２ａ、図１２ｂおよび図１２ｃを参照して、本発明の第２実施例による私生活保護モードでの追跡式ブラインド装置１００の動作方法について見てみることにする。
【０１５６】
追跡式ブラインド装置１００は、使用者命令によって私生活保護モードの等級を１等級または２等級（ｄｅｆａｕｌｔ）に選択される（Ｓ４０１）。ここで、本発明の第２実施例では私生活保護モードの２等級がデフォルトで設定される。
【０１５７】
前記選択の結果（Ｓ４０１）が１等級であれば、追跡式ブラインド装置１００は私生活保護モードの等級を１等級に設定する（Ｓ４０２）。
【０１５８】
追跡式ブラインド装置１００は、追跡式ブラインド装置１００をプログラミング制御方式に基づいて駆動する（Ｓ４０３）。
【０１５９】
追跡式ブラインド装置１００の制御部１４０は、現在の節気および時刻を確認する（Ｓ４０４）。
【０１６０】
追跡式ブラインド装置１００の制御部１４０は日よけ板の位置を設定し、日よけ板傾斜角（∠Ｂ）が９０°になるように制御する（Ｓ４０５）。即ち、日よけ板の第１領域ｂ１および第２領域ｂ２は垂直方向に位置したガラス窓と水平に位置が設定される。
【０１６１】
その後、追跡式ブラインド装置１００は、時間が経過して太陽が日没であるかを確認する（Ｓ４０６）。
【０１６２】
前記確認の結果（Ｓ４０６）、太陽が日没でなければ、追跡式ブラインド装置１００は現在の節気および時刻を確認するＳ４０４過程から再び行う。
【０１６３】
反面、前記確認の結果（Ｓ４０６）、太陽が日没であれば、追跡式ブラインド装置１００は太陽光モジュール１１０を用いた追跡式ブラインド装置１００での私生活保護モードを終了する。
【０１６４】
一方、前記選択の結果（Ｓ４０１）が２等級（ｄｅｆａｕｌｔ）であれば、追跡式ブラインド装置１００は私生活保護モードの等級を２等級に設定する（Ｓ４１１）。
【０１６５】
追跡式ブラインド装置１００は、追跡式ブラインド装置１００をプログラミング制御方式に基づいて駆動する（Ｓ４１２）。
【０１６６】
追跡式ブラインド装置１００の制御部１４０は、現在の節気および時刻を確認する（Ｓ４１３）。
【０１６７】
追跡式ブラインド装置１００の制御部１４０は一定の周期で太陽高度角を確認し、その確認された太陽高度角（Ａ）が６０°以下であるかを確認する（Ｓ４１４）。
【０１６８】
前記確認の結果（Ｓ４１４）、太陽高度角（Ａ）が６０°以下であれば、制御部１４０は日よけ板の第１領域ｂ１の傾斜角（∠ｂ１）を太陽高度角と垂直な傾斜角（９０°−Ａ）に制御する（Ｓ４１５）。
【０１６９】
そして、制御部１４０は日よけ板の第２領域（ｂ２部分）の傾斜角度（∠ｂ２）を制御し、第２領域ｂ２の角度を調節して室内に直射光線が流入しない傾斜角に調整する（Ｓ４１６）。
【０１７０】
反面、前記確認の結果（Ｓ４１４）、太陽高度角（Ａ）が６０°を超過すれば、制御部１４０は日よけ板の第１領域ｂ１の傾斜角（∠ｂ１）を制御し、日よけ板の第１領域ｂ１に陰影が生じない傾斜角に補正し、日よけ板の第２領域ｂ２の傾斜角（∠ｂ２）を制御し、日よけ板の第２領域（ｂ２部分）に陰影が生じる傾斜角に補正する（Ｓ４１７）。ここで、日よけ板の第１領域ｂ１に陰影が生じない日よけ板の第１領域ｂ１の傾斜角（∠ｂ１）範囲は３０．６６°〜７４．４５°であり得る。また、第２領域ｂ２の傾斜角（∠ｂ２）は０°〜太陽高度角（Ａ）であり得る。
【０１７１】
その後、追跡式ブラインド装置１００は、時間が経過して太陽が日没であるかを確認する（Ｓ４１８）。
【０１７２】
前記確認の結果（Ｓ４１８）、太陽が日没でなければ、追跡式ブラインド装置１００は現在の節気および時刻を確認するＳ４１３過程から再び行う。
【０１７３】
反面、前記確認の結果（Ｓ４１８）、太陽が日没であれば、追跡式ブラインド装置１００は太陽光モジュール１１０を用いた追跡式ブラインド装置１００での私生活保護モードを終了する。
【０１７４】
図１３ａは、本発明の第２実施例による採光および直射モードでの追跡式ブラインド装置の動作方法に関するフローチャートである。図１３ｂは、本発明の第２実施例による採光および直射モードで第１および第２領域に区分された日よけ板の動作に関する説明図である。
【０１７５】
まず、図１３ｂに示されているように、本発明の第２実施例による日よけ板は第１領域ｂ１および第２領域ｂ２からなる。日よけ板の第１領域ｂ１は水平であれば０°の傾斜角を有し、水平を基準に回転する角度によって第１領域ｂ１の日よけ板傾斜角（∠ｂ１）を有する。また、日よけ板の第２領域ｂ２は水平であれば０°の傾斜角を有し、水平を基準に回転する角度によって第２領域ｂ２の日よけ板傾斜角（∠ｂ２）を有する。第２領域ｂ２は垂直であれば９０°の傾斜角を有する。
【０１７６】
以下、図１３ａおよび図１３ｂを参照して、本発明の第２実施例による採光および直射モードでの追跡式ブラインド装置１００の動作方法について見てみることにする。
【０１７７】
追跡式ブラインド装置１００は、使用者命令によって運転モードを採光モードに設定する（Ｓ５０１）。
【０１７８】
追跡式ブラインド装置１００は、追跡式ブラインド装置１００をプログラミング制御方式に基づいて駆動する（Ｓ５０２）。
【０１７９】
追跡式ブラインド装置１００の制御部１４０は、現在の節気および時刻を確認する（Ｓ５０３）。
【０１８０】
追跡式ブラインド装置１００の制御部１４０は一定の周期で太陽高度角を確認し、その確認された太陽高度角（Ａ）が６０°以下であるかを確認する（Ｓ５０４）。
前記確認の結果（Ｓ５０４）、太陽高度角（Ａ）が６０°以下であれば、制御部１４０は日よけ板傾斜角（∠ｂ１）を太陽高度角と垂直な傾斜角（９０°−Ａ）に制御する（Ｓ５０５）。
【０１８１】
そして、制御部１４０は日よけ板の第２領域（ｂ２部分）の傾斜角度（∠ｂ２）を制御し、第２領域ｂ２の角度を調節して室内に直射光線が流入する傾斜角に調整する（Ｓ５０６）。
【０１８２】
反面、前記確認の結果（Ｓ５０４）、太陽高度角（Ａ）が６０°を超過すれば、制御部１４０は日よけ板の第１領域ｂ１の傾斜角（∠ｂ１）を制御し、日よけ板の第１領域ｂ１に陰影が生じない傾斜角に補正し、日よけ板の第２領域ｂ２の傾斜角（∠ｂ２）を制御し、日よけ板の第２領域（ｂ２部分）に陰影が生じない傾斜角に補正する（Ｓ４０７）。ここで、日よけ板の第１領域ｂ１に陰影が生じない日よけ板の第１領域ｂ１の傾斜角（∠ｂ１）範囲は３０．６６°〜７４．４５°であり得る。また、日よけ板の第１領域ｂ１に陰影が生じない日よけ板の第２領域ｂ２の傾斜角（∠ｂ２）は太陽高度角（Ａ）〜９０°であり得る。
【０１８３】
その後、追跡式ブラインド装置１００は、時間が経過して太陽が日没であるかを確認する（Ｓ５０８）。
【０１８４】
前記確認の結果（Ｓ５０８）、太陽が日没でなければ、追跡式ブラインド装置１００は現在の節気および時刻を確認するＳ５０３過程から再び行う。
【０１８５】
反面、前記確認の結果（Ｓ５０８）、太陽が日没であれば、追跡式ブラインド装置１００は太陽光モジュール１１０を用いた追跡式ブラインド装置１００での採光モードを終了する。
【０１８６】
一方、本発明の実施例による追跡式ブラインド装置１００は非発電モードで動作可能である。
【０１８７】
非発電モードでの追跡式ブラインド装置１００は、手動または自動方式で使用者が直観的に遮蔽の程度を設定してプログラムでないリモコンで作動可能である。
【０１８８】
私生活保護モードでは、使用者が手動方式で私生活保護用日よけ板を用いて遮蔽の程度を設定することによって、眺望および私生活保護などの目的を達成することができる。
【０１８９】
ここで、非発電モードでの追跡式ブラインド装置１００は、使用者によって予め設定された時間または季節を認識し非発電モードで設定された運転モードに転換されて自動動作可能である。
【０１９０】
図１４は、本発明の第３実施例による第１および第２領域にそれぞれ分離された日よけ板を拡大図示した図である。
【０１９１】
図１４に示されているように、本発明の第３実施例による複数の日よけ板は、太陽光モジュール１１０が付着された日よけ板の第１領域ｃ１と太陽光モジュール１１０が付着されていない第２領域ｃ２にそれぞれ分離されている。日よけ板の第１領域ｃ１と第２領域ｃ２の間に位置した仮想の回転軸を中心に日よけ板の第１領域ｃ１と第２領域ｃ２が回転するようになる。ここで、仮想の回転軸は日よけ板の第１領域ｃ１と第２領域ｃ２が一つの結合体のように動作する基準となる。即ち、日よけ板の第１領域ｃ１と第２領域ｃ２が分離されているが、日よけ板の第１領域ｃ１および第２領域ｃ２の間に回転軸が存在するように日よけ板の第１領域ｃ１および第２領域ｃ２が回転する。このような仮想の回転軸は、日よけ板の第１領域ｃ１および第２領域ｃ２の各端が互いに対向する地点に位置する。
【０１９２】
本発明の第３実施例による複数の日よけ板は、製作の容易性側面で材料の選択およびデザインの制限が少ないものであり得る。日よけ板の第１領域ｃ１と第２領域ｃ２は互いに異なる材質が選択されて製作され得る。また、日よけ板の第１領域ｃ１と第２領域ｃ２が仮想の回転軸を中心に分離されていて、日よけ板の第１領域ｃ１と第２領域ｃ２が回転する回転半径の制限がなくなる。日よけ板の第１領域ｃ１と第２領域ｃ２が個別的に作動するので使用年限が増加できる。一例として、日よけ板の第１領域ｃ１と第２領域ｃ２が約１ｍｍの間隔で離れていてもよい。このような場合、相互間の回転半径を妨害しないだけでなく、製作およびデザイン、材料選択に制限が少なくて使用年限、製作単価、工程の単純性などに有利であり得る。
【０１９３】
一方、本発明の実施例による追跡式ブラインド装置の活用度および競争力が下記の［表１］のように示されている。
［表１］
2019510905.tif 000003
前記［表１］で、“＊発電量指数”部分は太陽電池単位面積当たり発電量指数であって、固定式（南向き、傾斜角３０度）発電量指数１００を基準にする。
【０１９４】
本発明による発電量指数の“＊＊１２０”部分は、従来の技術で解決されない陰影問題を始めて解決して、固定式に比べて約１２０％の発電量の増大が可能である。
【０１９５】
“＊＊＊夏”部分は室内温度を最大限低めるために日除け（遮蔽）を最大値に設定して眺望能力を０．５倍に設定したものであるので、太陽光発電の時にも眺望を目的とする場合には眺望能力を最大値２．７倍に設定可能である。
【０１９６】
“＊＊＊＊冬”部分は、国際エネルギー機構（ＩＥＡ）の２００８年資料によれば住居用建物部門で最も多いエネルギー使用比重５５％を占めるものが暖房（Ｓｐａｃｅ  Ｈｅａｔｉｎｇ）であり、‘エアコンを含む電気・電子機器’はエネルギー使用比重が１９％であるので、本発明による追跡式ブラインド装置の競争力を高めることができる重要な部分である。冬季、室内に追跡式ブラインド装置は日光が既に室内に入るようにして日射量を確保することができ、室内の暖房熱がブラインドによって保温される効果と、太陽光モジュール１１０が付着された第１領域ｂ１で太陽光発電時に発生する熱を得ることができる。即ち、ガラス窓とブラインドの間の空間に日射が入るようにするだけでなく、ブラインドが室内で反射させ太陽光発電時に発生する熱が室内温度を高めるので、暖房に必要なエネルギー（暖房負荷）を節減することができる。
【０１９７】
図１５は、太陽光発電装置種類別発電量比率比較を示した図である。
まず、基準発電量指数は、固定式（南向き、傾斜角３０°）の場合の発電量指数１００を基準にする。
【０１９８】
図１５の（ａ）に示された壁設置型の太陽光発電装置は、約６８％の発電量を有する。
【０１９９】
図１５の（ｂ）に示された従来のブラインド型の太陽光発電装置は、約８０％〜９０％の発電量を有する。従来のブラインド型の太陽光発電装置では日よけ板幅が２Ｘである場合、Ｘ間隔だけの眺望視野が生じる。そして、隣接した日よけ板によって陰影部分が発生する。
【０２００】
図１５の（ｃ）に示されたベランダミニ太陽光形態の太陽光発電装置は、約９２％の発電量を有する。
【０２０１】
図１５の（ｄ）に示された本発明の実施例による追跡式ブラインド装置は、約１２０％の発電量を有する。追跡式ブラインド装置は、太陽光モジュール１１０が付着された第１領域ｂ１と、太陽光モジュール１１０が付着されていない第２領域ｂ２に区分される。本発明による追跡式ブラインド装置では日よけ板の第１および第２領域ｂ１およびｂ２の幅がＸである場合、最大１．５Ｘ間隔だけの眺望視野が可能である。そして、隣接した日よけ板によって陰影部分が発生しない。太陽光モジュール１１０が付着されていない第２領域ｂ２は、陰影防止、眺望および室内温度、採光などの調節機能を遂行する。
【０２０２】
このように、本発明の実施例による追跡式ブラインド装置は壁設置型に比べて１７４の発電量を有し、従来のブラインド型に比べて約１４０の発電量を有し、ベランダミニ太陽光に比べて約１３０の発電量を有し、固定式に比べて１２０の発電量を有する。
【０２０３】
図１６は、従来のブラインド型太陽光発電装置と本発明の実施例による追跡式ブラインド装置の眺望および室内温度調節能力比較を示した図である。
【０２０４】
図１６の（ａ）に示されているように、従来のブラインド型太陽光発電装置はスラットとスラット間の距離がそれぞれ２Ｘを有している。このような場合に眺望視野はＸだけ視野を有し、スラットの一部では陰影部分が発生するようになる。
【０２０５】
一方、追跡式ブラインド装置の日よけ板の第２領域ｂ２が水平であれば０°の傾斜角を有し、水平を基準に回転する角度によって第２領域ｂ２の日よけ板傾斜角（∠ｂ２）を有する。
【０２０６】
図１６の（ｂ）に示されているように、採光目的である場合、第２領域ｂ２の日よけ板傾斜角（∠ｂ２）は９０°（採光目的∠ｂ２＝９０°）を有する。
【０２０７】
図１６の（ｃ）に示されているように、眺望と採光目的である場合、第２領域ｂ２の日よけ板傾斜角（∠ｂ２）は０°（採光目的∠ｂ２＝０°）を有する。
【０２０８】
図１６の（ｄ）に示されているように、遮蔽目的である場合、第２領域ｂ２の日よけ板傾斜角（∠ｂ２）は−９０°（採光目的∠ｂ２＝−９０°）を有する。
【０２０９】
このように、本発明の実施例による追跡式ブラインド装置は、日よけ板の一部領域を用いて採光および遮蔽を自動または使用者がリモコンで選択できるため室内温度を最適に調節することができる。
【０２１０】
一方、太陽光発電装置種類による四季の眺望および室内温度調節能力（視野角）を比較した内容が下記の［表２］のように示されている。
［表２］
2019510905.tif 000004
ここで、条件を見てみると、眺望可能な視野は第２領域ｂ２の日よけ板傾斜角（∠ｂ２）が０°（∠ｂ２＝０°）である時を適用して、日照および採光が最大になるように設定した。
【０２１１】
上記［表２］で、“＊０．１３”部分は、冬季の太陽高度角が低いため、太陽光発電時スラットの傾斜角（∠ｂ１）が６０°以上に設定され、眺望が非常に不良であるということを示す。
【０２１２】
“＊＊４．３８倍以上”部分は、冬季に日照および眺望に必要な視野角（日照量および採光）を効果的に確保することができ、住居用建物部門で最も多いエネルギー使用比重５５％を有するものが暖房（Ｓｐａｃｅ  Ｈｅａｔｉｎｇ）であるので、本発明による追跡式ブラインド装置の競争力を高めることができる重要な部分である。
【０２１３】
四季の間に眺望および採光がよく行われる本発明による追跡式ブラインド装置は、太陽光発電とは関係なく室内温度調節を最適化して遂行することができる。第２領域ｂ２の日よけ板傾斜角（∠ｂ２）が０°（∠ｂ２＝０°）である時、四季が明確な北緯３６°（大韓民国、清州市）付近を適用したものである。
【０２１４】
一方、太陽光発電装置種類による夏の眺望および室内温度調節能力（視野角）を比較した内容が下記の［表３］のように示されている。
［表３］
2019510905.tif 000005
ここで、条件を見てみると、眺望可能な視野は第２領域ｂ２の日よけ板傾斜角（∠ｂ２）が−９０°（∠ｂ２＝−９０°）である時を適用して、日照および採光が最少となる。
【０２１５】
上記［表３］で、“＊＊約０．４倍”部分は、季節が夏であるので、視野角が狭いほど直射光と散乱光を室内に流入させないため適切な室内温度調節（ｃｏｏｌ状態維持）に有利であることを意味する。
【０２１６】
第２領域ｂ２の日よけ板傾斜角（∠ｂ２）を−９０°に設定すれば、夏季の直射光線だけでなく不必要な散乱光線も遮断することができるため、室内温度と体感温度を低める効果が大きくなる。但し、スラット傾斜角（∠ｂ１）６０°付近の時間帯には第２領域ｂ２が９０°に変更して視野角比率を０．０７から０．５に増加させて眺望能力は向上させることにもかかわらず、直射光線はほとんど遮断させることができる。
【０２１７】
一方、太陽光発電装置種類による春と秋の眺望および室内温度調節能力（視野角）を比較した内容が下記の［表４］のように示されている。
［表４］
2019510905.tif 000006
ここで、条件を見てみれば、眺望可能な視野は第２領域ｂ２の日よけ板傾斜角（∠ｂ２）が９０°である時を適用して、日照および採光が適切に維持される。
【０２１８】
第２領域ｂ２の日よけ板傾斜角（∠ｂ２）を９０°に設定すれば、春と秋の直射光線は遮断しながら必要な散乱光線は適当に室内に流入可能で、室内温度および眺望、照度を最適の状態に維持させる。但し、スラット傾斜角（∠ｂ１）を使用者の嗜好および環境（室内温度および使用者最適温度、眺望など）によって第２領域ｂ２が０°に変更すれば、視野角比率も２．２倍から２．７倍に増加させて室内温度を高めながら眺望能力は向上させることにもかかわらず、直射光線の室内流入量はほとんど変わることがなく、散乱光線の室内流入量が多くなるだけである。したがって、使用者は適切にスラット傾斜角（∠ｂ１）を選択すれば良い。
【０２１９】
一方、太陽光発電装置種類による冬の眺望および室内温度調節能力（視野角）を比較した内容が下記の［表５］のように示されている。
［表５］
2019510905.tif 000007
ここで、条件を見てみれば、眺望可能な視野は第２領域ｂ２の日よけ板傾斜角（∠ｂ２）が０°である時を適用して、日照および採光が適切に維持される。
【０２２０】
第２領域ｂ２の日よけ板傾斜角（∠ｂ２）を０°に設定すれば、冬季の直射光線は一部分遮断しながら、必要な散乱光線は室内に最大限流入可能である。したがって、冬季に必要な日照量を確保して室内温度および眺望、照度を最適の状態に維持させる。
【０２２１】
以上で説明した実施例はその一例であって、本発明の属する技術分野における通常の知識を有する者であれば本発明の本質的な特性から逸脱しない範囲で多様な修正および変形が可能である。したがって、本発明に開示された実施例は本発明の技術思想を限定するためのものではなく、説明するためのものであり、このような実施例によって本発明の技術思想の範囲が限定されるのではない。本発明の保護範囲は、以下の請求範囲によって解釈されなければならず、それと同等な範囲内にある全ての技術思想は本発明の権利範囲に含まれると解釈されなければならない。
【符号の説明】
【０２２２】
１００：追跡式ブラインド装置
１１０：太陽光モジュール
１２０：日よけ板
１３０：駆動部
１４０：制御部
１５０：使用者インターフェース部
１６０：データ保存部
【図１】
2019510905.tif 000008
【図２】
2019510905.tif 000009
【図３】
2019510905.tif 000010
【図４】
2019510905.tif 000011
【図５】
2019510905.tif 000012
【図６】
2019510905.tif 000013
【図７】
2019510905.tif 000014
【図８】
2019510905.tif 000015
【図９】
2019510905.tif 000016
【図１０ａ】
2019510905.tif 000017
【図１０ｂ】
2019510905.tif 000018
【図１１】
2019510905.tif 000019
【図１２ａ】
2019510905.tif 000020
【図１２ｂ】
2019510905.tif 000021
【図１２ｃ】
2019510905.tif 000022
【図１３ａ】
2019510905.tif 000023
【図１３ｂ】
2019510905.tif 000024
【図１４】
2019510905.tif 000025
【図１５】
2019510905.tif 000026
【図１６】
2019510905.tif 000027
【国際調査報告】
2019510905.tif 000028
2019510905.tif 000029
2019510905.tif 000030
2019510905.tif 000031